(57)【要約】ファクシミリ文書102を管理するためのシステム100,200,300、方法400,500,600,700,800を利用して、ファックス文書又はファックス文書の任意の部分102が失われないことを保証できる。印刷装置202,302に利用可能な印刷材の量を求めることができる（412,512,642,702,802）。利用可能な印刷材の求められた量412,512,642,702,802に基づき、着信するファクシミリ文書102を印刷（532、722、822）又はメモリ212,312に記憶（562,732,852）し、データが失われないことを保証できる。同様に、印刷装置202,302内の利用可能なメモリの量を求め（542,832）、メモリ212,312に記憶されている（562,852）ファクシミリデータがメモリ制限に起因して失われないことを保証できる。開示されたシステム100,200,300、方法400,500,600,700,800を利用すると、印刷材の制限又はメモリ制限に起因して情報が失われないように、ファクシミリ文書102を対話式に管理することができる。
2010530721.tif 000002
【特許請求の範囲】
【請求項１】
ファクシミリ文書を受信及び印刷するように動作可能な印刷装置（２０２）を備え、
前記印刷装置（２０２）は、デバイスメモリ（２１２）及びファクシミリ解析器（２４２）を有し、
前記ファクシミリ解析器（２４２）は、利用可能な印刷材の量が印刷材しきい値未満であるか否かを判断すると共に、前記印刷材の量が前記印刷材しきい値未満であると判断すると、受信された前記ファクシミリ文書の１つ又は複数のページの前記デバイスメモリ（２１２）への記憶を開始するように動作可能であることを特徴とするファクシミリ文書を管理するためのシステム（２００）。
【請求項２】
印刷のための印刷材を提供するように動作可能な印刷カートリッジ（２２２）をさらに備え、
前記印刷カートリッジ（２２２）は、前記印刷カートリッジ（２２２）内の印刷材の量を求めるための情報を少なくとも記憶するように動作可能なカートリッジメモリ（２３２）を有することを特徴とする請求項１に記載のシステム。
【請求項３】
ファクシミリ文書を受信するように動作可能でデバイスメモリを有する印刷装置においてファクシミリ文書のページを受信し（５０２）、
前記ファクシミリ文書のページを受信すると、前記印刷装置内の印刷カートリッジに利用可能な印刷材の量を求め（５１２）、
前記印刷カートリッジ内の該印刷材の量を印刷材しきい値と比較し（５２２）、
前記印刷カートリッジ内の前記印刷材の量が前記印刷材しきい値と一致するか又は該印刷材しきい値を超えている場合には、前記ファクシミリ文書の前記ページを印刷し（５３２）、
前記印刷材の量が前記印刷材しきい値未満である場合には、前記デバイスメモリに前記ファクシミリ文書の前記ページを記憶すること（５６２）を含むことを特徴とするファクシミリ文書を管理するための方法（５００）。
【請求項４】
前記デバイスメモリ内の利用可能なメモリの量を求めること（５４２）をさらに含むことを特徴とする請求項３に記載の方法。
【請求項５】
前記デバイスメモリ内の前記利用可能なメモリの量をメモリしきい値と比較すること（５５２）をさらに含むことを特徴とする請求項４に記載の方法。
【請求項６】
前記利用可能なデバイスメモリがメモリしきい値未満である場合に、前記印刷装置のステータスをファクシミリ受信モードからファクシミリ無受信モードに変更すること（５７２）をさらに含むことを特徴とする請求項５に記載の方法。
【請求項７】
ファクシミリ装置に利用可能な印刷材の量を求め（８０２）、
前記利用可能な印刷材の量がファクシミリ文書を印刷するのに十分であるか否かを判断し（８１２）、
前記ファクシミリ文書を印刷するのに十分な量の印刷材がある場合には、前記ファクシミリ文書を印刷するように前記ファクシミリ装置に命令し（８２２）、
前記ファクシミリ文書を印刷するのに十分な量の印刷材がない場合には、前記ファクシミリ文書を、前記ファクシミリ装置のメモリ装置に記憶するように前記ファクシミリ装置に命令すること（８５２）を含むことを特徴とする、ファックス文書が失われないことを保証する方法（８００）。
【請求項８】
前記ファクシミリの前記メモリ装置内の利用可能なメモリの量を求めること（８３２）をさらに含むことを特徴とする請求項７に記載の方法。
【請求項９】
前記利用可能なメモリの量が前記ファクシミリ文書を記憶するのに十分であるか否かを判断すること（８４２）をさらに含むことを特徴とする請求項８に記載の方法。
【請求項１０】
前記ファクシミリ文書を記憶するのに十分な量の利用可能なメモリがある場合には、前記メモリ装置に前記ファクシミリ文書を記憶するように前記ファクシミリ装置に命令し（８５２）、前記ファクシミリ文書を記憶するのに十分な量の利用可能なメモリがない場合には、前記ファクシミリ装置を無受信モードに切り換えるように前記ファクシミリ装置に命令すること（８６２）をさらに含むことを特徴とする請求項９に記載の方法。
【発明の詳細な説明】
【背景技術】
【０００１】
一般に、ファクシミリ装置のユーザは、自身に送信されたあらゆるファックス文書を受信したいと思っている。同様に、ユーザは、文書が印刷された時に、マシン内の印刷材（例えば、インク又はトナー）が少なかったことから文書が読みにくくなることを回避したいとも思っている。この問題を回避するために、ファクシミリ装置は、利用可能な印刷材のレベルを推定するアルゴリズム、及び推定された利用可能な印刷材のレベルが少なくなってきているときにユーザにさまざまなオプションを提供するアルゴリズムを含む場合がある。いくつかのファクシミリ装置は、挿入されたいずれの印刷カートリッジ（例えば、インクジェットインクカートリッジ又はレーザージェットトナーカートリッジ）も新しいと仮定し、印刷カートリッジが挿入されると、内部の印刷材レベルカウンタをフルにリセットする。この結果、挿入された印刷カートリッジが実際には新しくなかった（フルでなかった）場合に、印刷材レベル推定値は不正確になる可能性がある。他のファクシミリ装置は、ユーザに、挿入されたカートリッジが使用されているのか、又は新しいのかを、装置に対し手動でキー入力させる。この結果、ユーザのエントリーエラー、又は印刷カートリッジが新しいか否かをユーザが知らないことに起因するエラーが生じる可能性がある。このようなファクシミリ装置は、或る充填レベルを有するカートリッジを別の充填レベルを有するカートリッジと対比して認識できないので、このようなファクシミリ装置では、一般に、ベンダが、異なる充填レベルを有する印刷材カートリッジを所与のファクシミリ装置に提供することは認められていない。
【０００２】
多くの企業環境では、スタンドアロンファックスマシンは、着信するファックスを電子的に受信及び記憶し、次いで、それらのファックスを用紙で又はセキュアな電子メールを介してユーザにルーティングすることができるファックスサーバ及び他のコンピュータ化システムに置き換えられてきている。このようなシステムは、不要な印刷をなくすと共に、オフィスによって必要とされるインバウンドアナログ電話回線の個数を削減することによってコストを削減する利点を有する。しかしながら、いくつかのユーザは、特に、着信ファックスを受信及び記憶するファックスサーバ及び他のコンピュータ化システムが利用可能でないスモールオフィス／ホームオフィス環境では、受信されたファックスが印刷材の制限及び／又はファクシミリ装置のメモリの制限に起因して失われないことを保証できるスタンドアロンファクシミリ装置を依然として所望する場合がある。
【図面の簡単な説明】
【０００３】
【図１】ファクシミリ文書を管理する一例示のシステムのブロック図である。
【図２】ファクシミリ文書を管理する別の例示のシステムのブロック図である。
【図３】ファクシミリ文書を管理するさらに別の例示のシステムのブロック図である。
【図４】ファクシミリ文書を管理する一例示の方法を示すフローチャートである。
【図５】ファクシミリ文書を管理する別の例示の方法を示すフローチャートである。
【図６】ファクシミリ装置の印刷カートリッジ内の印刷材の量を求める一例示の方法を示すフローチャートである。
【図７】ファックス文書が失われないことを保証する一例示の方法を示すフローチャートである。
【図８】ファックス文書が失われないことを保証する別の例示の方法を示すフローチャートである。
【発明を実施するための形態】
【０００４】
図１は、ファクシミリ文書を管理する一例示のシステム１００を示す。ファクシミリ伝送１０２（例えば、ファクシミリ文書を表す電子送信）は、ファクシミリ機能を有する印刷装置によって受信され、ファクシミリ文書が失われないことを保証する適切なファクシミリ管理オペレーション１２２を決定するソフトウェア１１２によって処理される。ソフトウェア１１２は、本明細書で説明する技術のうちの任意のものを組み合わせることができる。ファクシミリ伝送１０２は、電話網を介して転送される、文書のコピーを表す任意の情報（例えば、物理的な文書上に印刷されたコンテンツの画像データ）又は文書のコピーについての情報を表す任意の情報（例えば、ヘッダファイル情報、ファイルサイズ情報等）を含むことができる。ファクシミリ機能を有する印刷装置は、文書の印刷、コピー、及び／又はスキャンもできるオールインワン印刷装置を含めて、ファクシミリ文書を送受信するように動作可能な任意のスタンドアロン印刷装置を含むことができる。この出願全体を通じて、印刷装置という用語は、ファクシミリ機能を有する印刷装置を意味することができる。したがって、印刷装置及びファクシミリ装置という用語は、交換可能に使用することができる。同様に、ファクシミリ及びファックスという用語も交換可能に使用することができ、ファクシミリ伝送によって表されるページ若しくは文書、及び／又はファクシミリ伝送によって送信若しくは受信されたページ若しくは文書を表す（若しくは該ページ若しくは文書についての）印刷若しくは記憶された情報を指すことができる。
【０００５】
図２は、ファクシミリ文書を管理するための別の例示のシステム２００を示す。ファクシミリ文書を受信及び印刷出力するように動作可能な印刷装置２０２は、デバイスメモリ２１２及びファクシミリ解析器２４２を有することができる。デバイスメモリ２１２は、印刷装置２０２のオペレーションを制御するプリンタファームウェアに加えて、プリンタ装置内に取り付けられた印刷カートリッジに固有の使用量情報を含むプリンタ使用量情報も記憶することができる。印刷装置２０２は、印刷用に印刷材を提供するために取り付けられた印刷カートリッジ２２２を有することができる。印刷カートリッジ２２２は、印刷カートリッジ２２２内の（又は印刷カートリッジ２２２が利用可能な）印刷材の量のような情報を記憶するように動作可能な印刷カートリッジメモリ２３２を含むことができる。
【０００６】
ファクシミリ解析器２４２は、デバイスメモリ２１２及び印刷カートリッジメモリ２３２と通信して、印刷カートリッジ内の印刷材の量が印刷材しきい値（例えば、受信されたファクシミリ文書のページを印刷するのに必要な印刷材の量）未満であるときを判断すると共に、印刷装置２０２によって受信されたファクシミリ文書の１つ又は複数のページのデバイスメモリ２１２への記憶を開始するように動作可能とすることができる。ファクシミリ解析器２４２は、さらに、デバイスメモリ２１２と通信して、デバイスメモリ内の利用可能なメモリが所定のメモリしきい値（例えば、着信したファクシミリ伝送の１つ又は複数のページを記憶するのに必要なメモリの量）未満であるときを判断するように動作可能とすることもできる。
【０００７】
ファクシミリ解析器２４２は、その上さらに、デバイスメモリ２１２内の利用可能なメモリがメモリしきい値未満であるときに、印刷装置のステータスをファクシミリ受信モードからファクシミリ無受信モードに変更するように動作可能とすることもできる。ファクシミリ解析器２４２は、ソフトウェア（例えば、図１のシステム１００のソフトウェア１１２）を含むことができる。この技術分野で知られている無線（例えば、無線周波数）通信手段並びに／又は標準的なハードウェア／電気及び／若しくはソフトウェア対応通信手段を含めて、さまざまな通信方法のうちの任意のものを、ファクシミリ解析器により利用することができる。
【０００８】
本明細書で論述するデバイスメモリ２１２、印刷カートリッジメモリ２３２、及び他の任意のメモリには、情報を記憶するように動作可能な任意のタイプのメモリが含まれ得る。代替的に、読み出し専用メモリ及び／若しくはランダムアクセスメモリを含むメモリ、中央処理装置を含む集積回路、無線ネットワーキング能力を含む通信能力、又はそれらの任意の組み合わせを有するＲＦＩＤタグ又はスマートカード技術を利用することもできる。これは、動的データ認証（ＤＤＡ）並びに同様の暗号化「スマート」技術及びパスワードタイプ「スマート」技術を含む装置を含むことができる。このような装置は、セキュアな取引及び正しい識別を保証するためにクレジットカード及び銀行業に共通しており、適した装置／印刷カートリッジが利用されることを保証するのに利用することができる。
【０００９】
図３は、ファクシミリ文書を管理するための別の例示のシステム３００を示す。ファクシミリ文書を受信及び印刷出力するように動作可能な印刷装置３０２は、デバイスメモリ３１２及びファクシミリ解析器３５２を有することができる。デバイスメモリ３１２は、印刷装置３０２のオペレーションを制御するプリンタファームウェアに加えて、プリンタ装置内に取り付けられた印刷カートリッジに固有の使用量情報を含むプリンタ使用量情報も記憶することができる。印刷装置３０２は、印刷用に印刷材を提供するために取り付けられた印刷カートリッジ３２２を有することができる。印刷カートリッジ３２２は、印刷カートリッジ３２２の印刷材充填レベルについての印刷材充填レベル情報を記憶するように動作可能なキー３３２（例えば、ＲＦＩＤタグ又は他のメモリ）を含むことができる。代替的に、キー３３２は、印刷カートリッジを識別する情報を有する識別タグとすることもできる。印刷カートリッジ３２２は、印刷カートリッジが新しい印刷カートリッジであるのか、それとも使用済みの印刷カートリッジであるのかを示すインジケータ３４２（例えば、電気スイッチ又は任意のタイプのメカニズム若しくは機械スイッチ）も含むことができる。
【００１０】
ファクシミリ解析器３５２は、デバイスメモリ３１２、キー３３２及びインジケータ３４２と通信して、印刷カートリッジ内の印刷材の量が印刷材しきい値未満であるときを判断すると共に、印刷装置３０２によって受信されたファクシミリ文書の１つ又は複数のページのデバイスメモリ３１２への記憶を開始するように動作可能とすることができる。ファクシミリ解析器３５２は、さらに、デバイスメモリ３１２と通信して、デバイスメモリ内の利用可能なメモリが所定のメモリしきい値（例えば、着信及び／又は受信したファクシミリ伝送によって表されるファクシミリ文書の１つ又は複数のページを記憶するのに必要なメモリの量）未満であるときを判断するように動作可能とすることもできる。
【００１１】
ファクシミリ解析器３５２は、さらにその上、デバイスメモリ３１２内の利用可能なメモリがメモリしきい値未満である時に、印刷装置のステータスをファクシミリ受信モードからファクシミリ無受信モードに変更するように動作可能とすることもできる。ファクシミリ解析器３５２は、ソフトウェア（例えば、図１のシステム１００のソフトウェア１１２）を含むことができる。加えて、印刷装置３０２は、印刷カートリッジ３２２を使用する最初の印刷オペレーションが発生するときに、印刷カートリッジ３２２のインジケータ３４２を新しい表示から使用済みの表示に調整するように動作可能とすることもできる。
【００１２】
印刷装置３０２（及び図２のシステム２００の印刷装置２０２）は、使用済みの印刷カートリッジが取り付けられるときにユーザに印刷オプションを提供するように動作可能とすることができる。印刷オプションは、１つ又は複数の文書を印刷すること及びそれらの１つ又は複数の文書をデバイスメモリ（図３のシステム３００のデバイスメモリ３１２及び図２のシステム２００のデバイスメモリ２１２）に記憶することを含むことができる。
【００１３】
図４は、ファクシミリ文書を管理するための一例示の方法４００を示す。この方法は、例えば、図１のシステム１００、図２のシステム２００、及び図３のシステム３００によって実行することができる。方法４００の複数の部分及び本明細書で説明する他の方法の任意のもの（又はそれらの方法の複数の部分）は、コンピュータ可読媒体に記憶されたコンピュータ実行可能命令によって実行することができる。
【００１４】
４０２において、ファクシミリ文書のページを表すファクシミリ伝送を受信する。例えば、図２の印刷装置２０２及び図３の印刷装置３０２は、ファクシミリ文書のページを表すファクシミリ伝送を受信することができる。
【００１５】
４１２において、ファクシミリ文書のページを表すファクシミリ伝送が受信されるときに、印刷装置内の印刷カートリッジ内の印刷材の量を求めることができる。例えば、図１のソフトウェア１１２を利用して、印刷カートリッジ内の印刷材の量を求めることができる。より詳細には、図２のファクシミリ解析器２４２（又は図３のファクシミリ解析器３５２）を利用して、印刷カートリッジ内の印刷材の量を求めることができる。
【００１６】
４２２において、印刷カートリッジ内の印刷材の量を印刷材しきい値と比較することができる。例えば、図１のソフトウェア１１２を利用して、印刷カートリッジ内の印刷材の量を印刷材しきい値と比較することができる。具体的には、図２のファクシミリ解析器２４２（又は図３のファクシミリ解析器３５２）を利用して、印刷カートリッジ内の印刷材の量を印刷材しきい値と比較することができる。
【００１７】
４３２において、４２２における比較に基づいて、少なくとも１つのファクシミリ管理オペレーションを行うことができる。例えば、図１のシステム１００のファクシミリ管理オペレーション１２２を行うことができる。この少なくとも１つのファクシミリ管理オペレーションは、印刷カートリッジ内の印刷材の量が印刷しきい値以上であるときにファクシミリ伝送によって表されるファクシミリ文書のページを印刷すること、及び印刷材の量が印刷材しきい値未満であるときにそのページをデバイスメモリに記憶することを含むことができる。印刷材しきい値は、受信されたファクシミリ文書のテキストの標準的なページを印刷するのに必要な印刷材の最小量の所定のしきい値とすることができる。代替的に、印刷材しきい値は、テキストの量及び／又はページのサイズ（例えば、ファイルサイズ）を求めて、そのページを印刷するのに必要な印刷材の推定量を求めることにより、「オンザフライ」で（例えば、動的に）求めることもできる。このようにして、所定のしきい値を有することと比較して、印刷カートリッジ内のより多くの印刷材を利用することを可能とすることができる。
【００１８】
４４２において、この方法は、４０２に戻り、（ファクシミリ文書の複数のページがある場合には）ファクシミリ文書の別のページを表す別のファクシミリ伝送（又は同じ伝送の別の部分）を受信する。このようにして、方法４００は、ファクシミリ伝送が受信されると、ファクシミリ文書をページごとに管理することができる。後述するように、ファクシミリ文書は、代替的に、部分解析（例えば、一度につき１ページ）の代わりにグループとして（例えば、文書全体として）管理することもできる。一度につき１ページが解析されるとき、印刷カートリッジ内の利用可能な印刷材及びメモリ装置内の利用可能な記憶メモリをより効果的に利用することが可能になる。一方、後述する技術を利用するとき、このような方法により、受信された複数ページのファクシミリ文書は、いくつかのページを印刷出力できる一方、他のページをメモリに記憶することも可能である（場合によっては、メモリ制限のために他のページは拒否される）。
【００１９】
図５は、ファクシミリ文書を管理するための一例示の方法５００を示す。この方法は、例えば、図１のシステム１００、図２のシステム２００、及び図３のシステム３００によって実行することができる。方法５００の複数の部分及び本明細書で説明する他の方法のうちの任意のもの（又はそれらの方法の複数の部分）は、コンピュータ可読媒体に記憶されているコンピュータ実行可能命令によって実施することができる。
【００２０】
５０２において、ファクシミリ文書のページを表すファクシミリ伝送を受信する。例えば、図２の印刷装置２０２（又は図３の印刷装置３０２）は、ファクシミリ文書のページを受信することができる。
【００２１】
５１２において、ファクシミリ文書のページを表すファクシミリ伝送が受信されるときに、印刷装置内の印刷カートリッジ内の印刷材の量を求めることができる。例えば、図１のソフトウェア１１２を利用して、印刷カートリッジ内の印刷材の量を求めることができる。詳細には、図２のファクシミリ解析器２４２（又は図３のファクシミリ解析器３５２）を利用して、印刷カートリッジ内の印刷材の量を求めることができる。
【００２２】
５２２において、印刷カートリッジ内の印刷材の量を印刷材しきい値と比較することができる。例えば、図１のソフトウェア１１２を利用して、印刷カートリッジ内の印刷材の量を印刷材しきい値と比較することができる。具体的には、図２のファクシミリ解析器２４２（又は図３のファクシミリ解析器３５２）を利用して、印刷カートリッジ内の印刷材の量を印刷材しきい値と比較することができる。
【００２３】
５３２において、印刷カートリッジ内の印刷材の量がファクシミリ文書の受信されたページを印刷するのに必要な印刷材しきい値量以上であると、比較５２２が判断した後に、そのページを印刷することができる。方法４００で上述したように、印刷材しきい値は、受信されたファクシミリ文書のテキストの標準的なページを印刷するのに必要な印刷材の最小量の所定のしきい値とすることができる。代替的に、印刷材しきい値は、テキストの量及び／又はページのサイズ（例えば、ファイルサイズ）を求めて、そのページを印刷するのに必要な印刷材の推定量を求めることにより、「オンザフライ」で（例えば、動的に）求めることもできる。このようにして、所定のしきい値を有することと比較して、印刷カートリッジ内のより多くの印刷材を利用することを可能とすることができる。
【００２４】
５４２において、印刷カートリッジ内の印刷材の量が、受信されたファクシミリ伝送によって表されるページを印刷するのに必要な印刷材しきい値量未満であると、５２２における印刷材比較が判断した後に、ファクシミリ装置のメモリ装置内の利用可能なメモリの量を求めることができる。
【００２５】
５５２において、メモリ装置内の利用可能なメモリの量を所定のメモリしきい値（例えば、受信されたファクシミリ文書のテキストの標準的なページのページを記憶するのに必要な利用可能なメモリの最小量）と比較することができる。代替的に、メモリしきい値は、テキストの量及び／又はページのサイズ（例えば、ファイルサイズ）を求めて、そのページをメモリに記憶するのに必要なメモリの推定量を求めることにより、「オンザフライ」で（例えば、動的に）求めることもできる。このようにして、所定のメモリしきい値を有することと比較して、デバイスメモリ内のより多くのメモリを利用することを可能とすることができる。
【００２６】
５６２において、メモリ装置内の利用可能なメモリの量が、受信されたページをメモリに記憶するのに必要なメモリしきい値量以上であると、メモリ比較５５２が判断した後に、そのページをメモリに記憶することができる。
【００２７】
５７２において、メモリ装置内の利用可能なメモリの量が別のページをメモリに記憶するのに必要なメモリしきい値量未満であると、メモリ比較５５２が判断した後に、印刷装置をファクシミリ受信モードからファクシミリ無受信モードに変更することができる。ファクシミリ文書が失われないことを保証するために、ユーザが、印刷材を有する別の印刷カートリッジを挿入し且つ／又は記憶されたページをメモリから消去するまで、印刷装置は無受信モードの状態を続けることができる。代替的に、いくつかの実施形態では、例えば、ユーザは、圧縮技法の利用又は代替的なメモリ手段の組み込み（例えば、着脱可能なメモリカードの挿入）によって利用可能なメモリを増加させることが可能な場合もある。
【００２８】
５８２において、この方法は、５０２に戻り、（ファクシミリ文書の複数のページがある場合には）ファクシミリ文書の別のページを表す別のファクシミリ伝送（又は同じ伝送の別の部分）を受信する。このようにして、方法５００は、ファクシミリ文書のページを表すファクシミリ伝送が受信されると、ファクシミリ文書をページごとに管理することができる。後述するように、ファクシミリ文書は、代替的に、部分解析（例えば、一度につき１ページ）の代わりにグループとして（例えば、文書全体として）管理することもできる。一度につき１ページが解析されるとき、印刷カートリッジ内の利用可能な印刷材及びメモリ装置内の利用可能な記憶メモリをより効果的に利用することが可能になる。一方、このような方法により、受信された複数ページのファクシミリ文書は、いくつかのページを印刷出力できる一方、他のページをメモリに記憶することも可能である（場合によっては、メモリ制限のために他のページは拒否される）。
【００２９】
図６は、ファクシミリ装置の印刷カートリッジ内の印刷材の量を求めるための一例示の方法６００を示す。この方法は、例えば、図３のシステム３００によって実行することができる。さらに、この方法は、図４の方法４００の４１２において（又は図５の方法５００の５１２において）利用することができる。方法６００は、コンピュータ可読媒体に記憶されたコンピュータ実行可能命令によって実行することができるのと同様に、図１のシステム１００のソフトウェア１１２によって実行することもできる。
【００３０】
６０２において、ファクシミリ装置内に取り付けられた印刷カートリッジ上のキーを読み出すことができる。例えば、図３のシステム３００のキー３３２を読み出すことができる。キーは、印刷材充填レベル情報を有することができる。代替的に、キーは、印刷カートリッジを識別するために読み出すことができる識別情報（例えば、モデル番号又はモデルタイプ）を有することもできる。さまざまな印刷カートリッジ（例えば、さまざまなモデル）について、印刷材充填レベル情報をファクシミリ装置内のデバイスメモリ上に記憶することができる。したがって、取り付けられた印刷カートリッジに関する印刷材充填情報は、対応する印刷カートリッジの種類（例えば、モデル）に関してデバイスメモリ内に記憶された印刷材充填情報にキー内の識別情報を関連付けることによって求めることができる。
【００３１】
６１２において、ファクシミリ装置内に取り付けられた印刷カートリッジ上のインジケータを読み出すことができる。例えば、図３のシステム３００のインジケータ３４２を読み出すことができる。このインジケータは、印刷カートリッジが新しいカートリッジであるのか、又は使用済みのカートリッジであるのかを示すことができる。いくつかの実施形態では、このインジケータは、いずれのタイプ（例えば、モデル番号又はモデルタイプ）の印刷カートリッジが取り付けられているのかも示すことができる。上述したように、キー識別情報を利用すると、印刷カートリッジのタイプと、デバイスメモリ上に記憶された印刷カートリッジのタイプについての情報（例えば、印刷材充填情報）との関連付けを介して、印刷材充填情報を求めることができる。このような実施形態では、キー及びインジケータを組み合わせることができる。
【００３２】
６２２において、ファクシミリ装置内に取り付けられた印刷カートリッジが使用済みのカートリッジであることをインジケータが示していた場合には、記憶されたプリンタ使用量情報を解析して、印刷カートリッジがファクシミリ装置内に挿入されてから使用された印刷材の量を求めることができる。使用された印刷材のこの求められた量を、キーから（又はデバイスメモリから）読み取られた印刷材充填レベル量から減算して、印刷カートリッジ内の現在の印刷材の量を求めることができる。
【００３３】
６３２において、ファクシミリ装置内に取り付けられた印刷カートリッジが新しいカートリッジであることをインジケータが示していた場合には、記憶されたプリンタ使用量情報の解析６２２を迂回することができる。このような状況では、キー（又はデバイスメモリ）から読み取られた印刷材充填レベル量が、印刷カートリッジ内の印刷材の現在の量であると判断される。
【００３４】
６４２において、印刷カートリッジ内の印刷材の量を提示することができる。例えば、図４の方法４００の４２２における（又は図５の方法５００の５２２における）比較のために印刷材の量を提示して、ファクシミリ文書を管理する方法の一部として印刷材しきい値との比較に使用することができる。
【００３５】
図７は、ファックス文書が失われないことを保証する一例示の方法７００を示す。この方法は、例えば、図２のシステム２００又は図３のシステム３００によって実行することができる。方法７００は、１つ又は複数のコンピュータ可読媒体に記憶されたコンピュータ実行可能命令によって実行することができるのと同様に、図１のシステム１００のソフトウェア１１２によって実行することもできる。
【００３６】
７０２において、ファクシミリ装置に利用可能な印刷材の量を求めることができる。例えば、図６の方法６００を利用して、印刷カートリッジ内の印刷材の量を求めることができる。
【００３７】
７１２において、利用可能な印刷材の量がファクシミリ文書を印刷するのに十分であるか否かを判断することができる。例えば、ファクシミリ装置は、ファクシミリ文書の一定数のページが着信しているというファクシミリ伝送内の初期情報を受信することができる。着信するページの量を印刷出力するのに必要な印刷材の量を求めることができる。例えば、これは、テキストの平均的な受信されたページを印刷するのに必要な印刷材の所定の平均量（例えば、１ページの所定の印刷材しきい値）を利用し、その所定の平均量に、着信するページ数を乗算することによって求めることができる。代替的に、着信するページ数についてのファイルサイズ情報を利用して、着信するページを印刷出力するのに必要な印刷材の量を求めることもできる。
【００３８】
７２２において、ファクシミリ文書を印刷するのに十分な量の利用可能な印刷材があるという７１２における判断に基づいて、ファクシミリ文書を印刷するようにファクシミリ装置に命令することができる。
【００３９】
７３２において、十分な量の利用可能な印刷材がないという７１２における判断に基づいて、ファクシミリ文書を記憶するようにファクシミリ装置に命令することができる。また、印刷するのに十分な利用可能な印刷材がある選択されたページ数の１つ又は複数のページについて、このような１つ又は複数のページを印刷するようにファクシミリ装置に命令し、且つ、十分な利用可能な印刷材がないそれ以外の選択された１つ又は複数のページについて、それらを記憶するようにファクシミリ装置に命令することも可能とすることができる。複数ページのファクシミリ文書に対し印刷機能及び記憶機能の双方を利用することによって、ファクシミリ文書を失うことも拒否することもないようにすることが可能になる。
【００４０】
図８は、ファックス文書が失われないことを保証する別の例示の方法８００を示す。この方法は、例えば、図２のシステム２００又は図３のシステム３００によって実行することができる。方法８００は、１つ又は複数のコンピュータ可読媒体に記憶されたコンピュータ実行可能命令によって実行することができるのと同様に、図１のシステム１００のソフトウェア１１２によって実行することもできる。
【００４１】
８０２において、ファクシミリ装置に利用可能な印刷材の量を求めることができる。例えば、図６の方法６００を利用して、ファクシミリ装置の印刷カートリッジ内の印刷材の量を求めることができる。
【００４２】
８１２において、利用可能な印刷材の量がファクシミリ文書を印刷するのに十分であるか否かを判断することができる。例えば、ファクシミリ装置は、ファクシミリ文書の一定数のページが着信しているというファクシミリ伝送内の初期情報を受信することができる。着信するページの量を印刷出力するのに必要な印刷材の量を求めることができる。例えば、これは、テキストの平均的な受信されたページを印刷するのに必要な印刷材の所定の平均量（例えば、１ページの所定の印刷材しきい値）を利用し、その所定の平均量に、着信するページ数を乗算することによって求めることができる。代替的に、例えば、着信するファクシミリ文書についてのファイルサイズ情報を利用して、着信するページを印刷出力するのに必要な印刷材の量を求めることもできる。
【００４３】
８２２において、ファクシミリ文書を印刷するのに十分な量の利用可能な印刷材があるという８１２における判断に基づいて、ファクシミリを印刷するようにファクシミリ装置に命令することができる。
【００４４】
８３２において、十分な量の利用可能な印刷材がないと８１２において判断された後、ファクシミリ装置内の利用可能なデバイスメモリの量を求めることができる。また、印刷するのに十分な利用可能な印刷材がある選択されたページ数のページについて、このようなページを印刷するようにファクシミリ装置に命令し、且つ、次いで、８７２に示すように、十分な利用可能な印刷材がないそれ以外の選択されたページについて、それらを記憶する（又は記憶しようと試みる）ようにファクシミリ装置に命令することも可能とすることができる。複数ページのファクシミリ文書に対し印刷機能及び記憶機能の双方を利用することによって、ファクシミリ文書を失うことも拒否することもないようにすることが可能になる。
【００４５】
８４２において、利用可能なデバイスメモリの量がファクシミリ文書を記憶するのに十分であるか否かを判断することができる。例えば、ファクシミリ装置は、ファクシミリ文書の一定数のページが着信しているというファクシミリ伝送内の初期情報を受信することができる。着信するページの量を記憶するのに必要なメモリの量を求めることができる。例えば、これは、テキストの平均的な受信されたページを記憶するのに必要なメモリの所定の平均量（例えば、１ページの所定のメモリしきい値）を利用し、その所定の平均量に、着信するページ数を乗算することによって求めることができる。代替的に、例えば、着信するファクシミリ文書についてのファイルサイズ情報を利用して、着信するページを記憶するのに必要なメモリの量を求めることもできる。
【００４６】
８５２において、十分な量の利用可能なメモリがあるとの８４２における判断に基づいて、ファクシミリ文書をメモリに記憶するようにファクシミリ装置に命令することができる。
【００４７】
８６２において、十分な量の利用可能なメモリがないとの８４２における判断に基づいて、無受信モードに変更すると共にファクシミリ文書を拒否するようにファクシミリ装置に命令することができる。このような命令によって、ファクシミリ文書のステータスについて受信者及び／又は送信者への起こり得る混乱を生じるという、一部のファクシミリ文書が受信されないことを保証することができる。代替的に、十分な利用可能なメモリがある選択されたページ数の１つ又は複数のページについて、このような１つ又は複数のページを記憶するようにファクシミリ装置に命令し、且つ、８８２に示すように、十分な利用可能なメモリがないそれ以外の選択された１つ又は複数のページについて、それらを拒否する（例えば、無受信モードに切り換わる）ようにファクシミリ装置に命令することも可能とすることができる。複数ページのファクシミリ文書に対し記憶機能及び拒否機能の双方を利用することによって、ファクシミリ文書を部分的に受信すること及びメモリ使用を最大にすることが可能になる一方、ファクシミリ文書全体の一部しか受信されなかったことをファクシミリの送信者（及び受信者）に通知することも可能になる。
【００４８】
上述した開示は、複数の異なる実施形態を包含する。これらの実施形態のそれぞれは、その好ましい形態で開示されているが、本明細書で開示及び例証したような特定の実施形態は、多数の変形が可能であることから、限定の意味にみなされるべきではない。本開示の主題は、本明細書で開示したさまざまな要素、特徴、機能、及び／又は特性のすべての新規且つ非自明な組み合わせ及び部分的組み合わせを含む。同様に、いずれの請求項も、「ひとつの」若しくは「第１」又はこれらの同等な表現を挙げている場合には、このような請求項は、１つ又は複数のこのような要素が組み込まれていることを含み、２つ以上のこのような要素を要件とすることもなければ除外することもないことが理解されるべきである。
【図１】
2010530721.tif 000003
【図２】
2010530721.tif 000004
【図３】
2010530721.tif 000005
【図４】
2010530721.tif 000006
【図５】
2010530721.tif 000007
【図６】
2010530721.tif 000008
【図７】
2010530721.tif 000009
【図８】
2010530721.tif 000010
【国際調査報告】
2010530721.tif 000011
2010530721.tif 000012